(57)【要約】【課題】組立作業及び隣接する中継器との連結作業が容易な中継器を提供する。【解決手段】中継器盤内に複数収められるケース本体２０と、該ケース本体２０に収納した基板１０からなると共に、該基板１０はリード線１２ａ、１２ｂ接続用の端子台１１を備えてなる中継器１において、上記ケース本体２０は上方開口状で底深に形成されてなると共に、その上部に上記基板１０の端子台１１を露出させる蓋体３０を着脱自在に取付けてなり、上記基板１０にはリード線１２ａ、１２ｂの一端が直結され、上記蓋体３０は線開口部３３を有し、該線開口部３３から上記リード線１２ａ、１２ｂを引出してなる。【選択図】  図１
2004253958.tif 000002
【特許請求の範囲】
【請求項１】
中継器盤内に複数収められるケース本体と、該ケース本体に収納した基板からなると共に、該基板はリード線接続用の端子台を備えてなる中継器において、
上記ケース本体は上方開口状で底深に形成されてなると共に、その上部に上記基板の端子台を露出させる蓋体を着脱自在に取付けてなり、上記基板にはリード線の一端が直結され、
上記蓋体は線開口部を有し、該線開口部から上記リード線を引出してなることを特徴とする中継器。
【請求項２】
上記蓋体は溝状の保持部を備え、該保持部で上記基板を保持して上記リード線を上記線開口部内に固定してなることを特徴とする請求項１記載の中継器。
【請求項３】
上記ケース本体は上記基板のケース本体内における位置決めをする溝状のガイド部を備えることを特徴とする請求項１又は２記載の中継器。
【発明の詳細な説明】
【０００１】
【発明の属する技術分野】
本発明は火災報知設備や防犯設備等の受信機と端末機器との間に設けられる中継器に関し、より詳細には中継器盤に複数個まとめて収納され相互に連結される中継器に関する。
【０００２】
【従来の技術】
例えば特許文献１に示すような火災報知設備や、その他防犯設備等では通常、端末機器と受信機との間に、相互間の信号のやりとりを中継する中継器が設置される。このような中継器は通常、中継器盤に複数個まとめて収納される。ここで、隣接する中継器同士は信号線Ｓとコモン線ＳＣが連結され、信号を相互に授受している。従来、信号線Ｓ、コモン線ＳＣを連結するには、リード線の両端をそれぞれ隣接する中継器の端子台の端子穴に挿入して渡り配線を行っている。
しかし、中継器盤に収納される中継器の数は数十個にも及ぶ場合があり、それぞれの中継器を、リード線の両端部を逐次中継器の端子穴に挿入して連結していたのでは、作業が繁雑であり、現場における取付工数、取付時間の増加を招く。
【０００３】
【特許文献１】
特開平１０−１４３７７６（図１）
【０００４】
そこで本発明者は、中継器内の基板に信号線Ｓ、コモン線ＳＣとそれぞれ導通する結線部を設け、この結線部にリード線の一端を半田付け等で直結した中継器を発明した。このような構成とすることによって、中継器同士を連結する際に、リード線の一端を端子台の端子穴に挿入する作業が不要となり、中継器の取付けに必要な作業を大幅に減少させることができる。
【０００５】
【発明が解決しようとする課題】
ところで、基板を上述したような構成とした場合には、リード線をケース本体の外部に引出す必要がある。しかし従来のケース本体は、下方開口状で底深に形成され端子台を上面に露出させると共に、その下部に中継器盤に固定される底浅の取付台を取付ける構成となっている。このような構成のケース本体は下方開口状で底深に形成されているため、基板に接続されたリード線を上方へ引出すことが難しく、中継器の組立作業性が悪くなってしまう恐れがある。
【０００６】
本発明は以上の問題点を鑑みてなされたものであり、組立作業及び隣接する中継器との連結作業が容易な中継器を提供することを目的とする。
【０００７】
【課題を解決するための手段】
上記課題を解決するため本発明は、中継器盤内に複数収められるケース本体と、該ケース本体に収納した基板からなると共に、該基板はリード線接続用の端子台を備えてなる中継器において、上記ケース本体は上方開口状で底深に形成されてなると共に、その上部に上記基板の端子台を露出させる蓋体を着脱自在に取付けてなり、上記基板にはリード線の一端が直結され、上記蓋体は線開口部を有し、該線開口部から上記リード線を引出してなることを特徴として構成されている。
【０００８】
また本発明は、上記蓋体は溝状の保持部を備え、該保持部で上記基板を保持して上記リード線を上記線開口部内に固定してなることを特徴として構成されている。
【０００９】
また本発明は、上記ケース本体は上記基板のケース本体内における位置決めをする溝状のガイド部を備えることを特徴として構成されている。
【００１０】
【発明の実施の形態】
以下、本発明の実施の形態について、図面を参照しつつ詳細に説明する。図１は本発明の実施形態における中継器の分解図、図２は本発明の実施形態における中継器の側方斜視図、図３は本発明の実施形態における蓋体の底面斜視図、図４は本発明の実施形態における中継器をリード線によって連結した状態の上面模式図である。なお、本実施形態において、上下左右は図１に示す向きとする。
本実施形態における中継器１は、中継器盤（図示せず）に複数個並べて収納されるものであり、図１に示すように、中継器盤に収納されるケース本体２０、及びこのケース本体２０に収納され、端末機器と受信機との間の信号を処理するための回路が実装された基板１０からなる。ケース本体２０には基板１０を収納した状態で上部に蓋体３０が取付けられる。
【００１１】
ケース本体２０に内装される基板１０は略長方形状であり、その上端近傍に端子台１１が備え付けられている。この端子台１１は、基板１０の回路内の信号線Ｓと導通し、受信機からの信号線や隣の中継器１のリード線１２ａを挿入するＳ端子穴１１ａ、基板１０の回路内のコモン線ＳＣと導通し、受信機からのコモン線やとなりの中継器１のリード線１２ｂを挿入するＳＣ端子穴１１ｂ、及びその他受信機、端末機器等の外部からのリード線を挿入する外部端子穴１１ｃ、１１ｃを有する。
【００１２】
また同じく基板１０の上端近傍には、基板１０の回路内の信号線Ｓ、コモン線ＳＣとそれぞれ導通する結線部１３ａ、１３ｂ、及びこの結線部１３ａ、１３ｂにそれぞれの一端が直結される２本のリード線１２ａ、１２ｂを有している。即ち、従来、Ｓ端子穴１１ａあるいはＳＣ端子穴１１ｂに挿入していたリード線１２ａ、１２ｂの一端を、半田付け等により直接基板１０に接続する。この結線部１３ａ、１３ｂは、端子台１１のＳ端子穴１１ａ、ＳＣ端子穴１１ｂ近傍に設けられる。即ち、本実施形態においてはＳ端子穴１１ａ、ＳＣ端子穴１１ｂが右側に配置されていることから、結線部１３ａ、１３ｂは端子台１１の右側に設けられる。また、リード線１２ａ、１２ｂの他端の接続部１４ａ、１４ｂには、Ｓ端子穴１１ａ、ＳＣ端子穴１１ｂの直径と略同径の棒状の差込端子１５ａ、１５ｂが設けられている。
ここで、基板１０の形状については特に略長方形に限定されるものではなく、どのような形状でもよい。また、基板１０上の端子台１１や結線部１３ａ、１３ｂの位置も、特にこれに限定されるものではなく、基板１０の回路の配置や配線等の事情により、自由に変更可能である。
【００１３】
中継器１の基板１０をこのような構成とすることによって、隣接する中継器１、１の信号線Ｓ、コモン線ＳＣを連結するにあたって、リード線１２ａ、１２ｂの一端をＳ端子穴１１ａ、ＳＣ端子穴１１ｂに挿入する作業が不要となり、作業現場においては、図４に示すように、結線部１３ａに直結したリード線１２ａを他の中継器１のＳ端子穴１１ａに、結線部１３ｂに直結したリード線１２ｂを他の中継器１のＳＣ端子穴１１ｂにそれぞれ挿入するだけでよいので、中継器１の取付け作業が容易になると共に、必要な取付工数を大幅に減少させることができる。また、リード線１２ａ、１２ｂがすでに基板１０に備え付けられているので、作業現場に中継器１とは別にリード線を持込む必要もなくなる。さらに、従来リード線１２ａ、１２ｂの一端を挿入していたＳ端子穴１１ａ、ＳＣ端子穴１１ｂが必要なくなるので、端子台１１を小型にすることができ、従って中継器１を小型化することが可能となる。さらにまた、リード線１２ａ、１２ｂの接続部１４ａ、１４ｂに棒状の差込端子１５ａ、１５ｂを設けることにより、リード線１２ａ、１２ｂのＳ端子穴１１ａ、ＳＣ端子穴１１ｂへの挿入・抜出が一層容易になる。
【００１４】
このような基板１０を収納するケース本体２０は、図１に示すように上方開口状で、上述の基板１０を収納可能な幅、深さに形成され、上述の基板１０が端子台１１を上方にして収納される。ケース本体２０がこのような構成であれば、蓋体３０は底浅でよいので、基板１０に直結したリード線１２ａ、１２ｂを、蓋体３０を介して外部に引出すことが容易となり、組立作業性が向上する。
ケース本体２０内部の基板１０の各端部と対向する部分には、基板１０の厚さと略同じ幅の溝を有するガイド部２１が設けられている。このガイド部２１を設けたことにより、基板１０をケース本体２０内に収納し易くなり中継器１の組立作業が容易となると共に、ケース本体２０内における基板１０の位置決めが可能となる。また、ケース本体２０の上端部には、後述する蓋体３０の係合部３４と係合する被係合部２２が形成されている。さらに、ケース本体２０の下部には、中継器盤の底に設けられたレール（図示せず）が収まるレール収容部２３、及び中継器盤にねじ止め固定するためのねじ孔２４が設けられている。これによって、中継器１が中継器盤に収納された際の位置決め、固定がなされる。
【００１５】
またケース本体２０の幅狭側の側面部２０ａには、図２に示すように、ケース本体２０の外部に引出したリード線１２ａ、１２ｂを保持するリード線保持部２５が設けられている。このリード線保持部２５は、基板１０の結線部１３ａ、１３ｂに近い側の側面部２０ａ、即ち本実施形態においては右側の側面部２０ａに設けられる。
このリード線保持部２５により、中継器１を作業現場に運ぶ際に、リード線１２ａ、１２ｂをリード線保持部２５に保持させておくことができるので、リード線１２ａ、１２ｂが垂れ下がって他の機器等に絡まる心配もない。また、複数の中継器１、１をリード線１２ａ、１２ｂによって連結する際に、最後の中継器１のリード線１２ａ、１２ｂは接続先がなく余ってしまうが、図４に示すように、この余ったリード線１２ａ、１２ｂをリード線保持部２５で保持しておくことにより、短絡を防ぐことができる。このリード線保持部２５は、図２に示すように、フック形状をしており、差込端子１５ａ、１５ｂを引っかけて保持させる。あるいはリード線保持部２５を、差込端子１５ａ、１５ｂの直径と略同径の差込穴で構成してもよい。このような構成にすれば、差込端子１５ａ、１５ｂが鞘に収められたような状態になり、運送時などに差込端子１５ａ、１５ｂが傷つく恐れがなくなる。
【００１６】
ケース本体２０の上部には図１、図２に示すように、蓋体３０が脱着自在に取付けられる。蓋体３０のケース本体２０への取付けは、係合部３４をケース本体２０の被係合部２２に係合させることにより行う。この蓋体３０はなるべく底浅であるほうが、よりリード線１２ａ、１２ｂを引出しやすく望ましい。
この蓋体３０には、ケース本体２０に基板１０を納めた際に、端子台１１を外部に露出させるための端子開口部３１が形成されている。なお、この蓋体３０の製造段階においては、端子開口部３１の部分にはカバー片３２が形成されている。基板１０の端子台１１は外部端子穴１１ｃの数によってその大きさが異なるので、端子台１１の大きさに合わせてこのカバー片３２を折って取除き、必要な大きさの端子開口部３１を形成する。蓋体３０をこのような構成とすることにより、端子台１１の外部端子穴１１ｃの数が異なる様々な基板１０に対応させることができ、端子台１１の大きさに合わせた新たな蓋体３０を製造する必要がなくなる。
【００１７】
また蓋体３０には、基板１０の結線部１３ａ、１３ｂに対応する位置に端子開口部３１と連続状に、基板１０のリード線１２ａ、１２ｂをケース本体２０の外部に引出すための線開口部３３が形成されている。本実施形態においては、結線部１３ａ、１３ｂが端子台１１の右側に設けられていることから、線開口部３３も端子開口部３１の右側に形成する。この線開口部３３はリード線１２ａ、１２ｂの直径と略同幅で、かつリード線１２ａ、１２ｂが２本並べて収まる大きさの横断面略Ｕ字状に形成されている。なお、線開口部３３については特に上記の位置、形状に限定されることなく、自由に変更可能である。
さらに図３に示すように、蓋体３０底面の基板１０上端角部と対向する位置には、保持部３５が設けられている。この保持部３５は基板１０の厚さと略同幅の溝を有するように形成されており、基板１０をこの保持部３５にはめ込んで蓋体３０側で一時的に保持することが可能となっている。
【００１８】
リード線１２ａ、１２ｂを引出す際には、まずリード線１２ａ、１２ｂを線開口部３３よりも開口面積の広い端子開口部３１に通し、その後線開口部３３側にスライドさせることによって、容易に線開口部３３内にリード線１２ａ、１２ｂを収納することができる。さらに、そのまま基板１０と蓋体３０を近づけると、端子開口部３１が端子台１１によって塞がれ、これによって線開口部３３と端子開口部３１が連続している部分も端子台１１に塞がれるので、リード線１２ａ、１２ｂを線開口部３３内に閉じこめることができ、リード線１２ａ、１２ｂを線開口部３３内に固定することができる。
また、基板１０をこのまま保持部３５にはめ込んで蓋体３０側で保持することにより、リード線１２ａ、１２ｂを線開口部３３内に固定しつつ、蓋体３０を基板１０と共にケース本体２０に取付けることが可能となり、リード線１２ａ、１２ｂをケース本体２０外部に引出した状態での中継器１の組立作業が非常に容易となる。
【００１９】
なお、本実施形態においては、リード線１２ａ、１２ｂを基板１０に半田で直接付けているが、コネクタ等を介してリード線１２ａ、１２ｂが基板１０に付けられていても良く、予め中継器１にリード線１２ａ、１２ｂが取り付けられた構成であれば本発明を適用できる。また、リード線１２ａ、１２ｂを引出す線開口部３３は、本実施形態のように端子開口部３１と連通していなくても良く、蓋体３０に独立した線開口部を設けても良い。
【００２０】
【発明の効果】
以上本発明によれば、ケース本体は上方開口状で底深に形成されてなると共に、その上部に基板の端子台を露出させる蓋体を着脱自在に取付けてなり、基板にはリード線の一端が直結され、蓋体は線開口部を有し、該線開口部からリード線を引出してなるので、基板に直結したリード線を外部に引出すことが容易となり、また中継器同士の連結はこの引出されたリード線を隣接する中継器の端子台に接続すればよいだけなので、中継器の組立作業性、連結作業性が向上する。
【００２１】
また本発明によれば、蓋体は溝状の保持部を備え、該保持部で基板を保持してリード線を線開口部内に固定してなるので、基板をケース本体に収納する際に、リード線を線開口部に固定した状態で、基板と共に蓋体をケース本体に取付けることが可能となり、リード線をケース本体外部に引出した状態での中継器の組立作業が非常に容易となる。
【００２２】
また本発明によれば、ケース本体は基板のケース本体内における位置決めをする溝状のガイド部を備えるので、基板をケース本体に収納し易くなり中継器の組立作業が容易となる。また、基板のケース本体内での位置決めを行うことができる。
【図面の簡単な説明】
【図１】本発明の実施形態における中継器の分解図である。
【図２】本発明の実施形態における中継器の側方斜視図である。
【図３】本発明の実施形態における蓋体の底面斜視図である。
【図４】本発明の実施形態における中継器をリード線によって連結した状態の上面模式図である。
【符号の説明】
１    中継器
１０    基板
１１    端子台
１１ａ  Ｓ端子穴
１１ｂ  ＳＣ端子穴
１１ｃ  外部端子穴
１２ａ、１２ｂ  リード線
１３ａ、１３ｂ  結線部
１４ａ、１４ｂ  接続部
１５ａ、１５ｂ  差込端子
２０    ケース本体
２０ａ  側面部
２１    ガイド部
２２    被係合部
２３    レール収容部
２４    ねじ孔
２５    リード線保持部
３０    蓋体
３１    端子開口部
３２    カバー片
３３    線開口部
３４    係合部
３５    保持部
【図１】
2004253958.tif 000003
【図２】
2004253958.tif 000004
【図３】
2004253958.tif 000005
【図４】
2004253958.tif 000006